(57)【要約】  本発明は、システムメッセージ通知、送信方法および装置を開示刷る。本発明では、ＣＵは、システムメッセージに関する情報を決定し、ＣＵは、前記システムメッセージに関する情報をＤＵに送信し、ＤＵは、ＣＵによって送信されたシステムメッセージに関する情報を受信し、ＤＵは、前記情報を端末に通知する。本発明ＣＵがＤＵに十分な補助情報を提供でき、ＤＵが十分な補助に従って適切なシステム情報を生成できるように、ＣＵ-ＤＵアーキテクチャの下でアクセス制御およびシステムメッセージ処理ソリューションを提供する。両方が連携してＵＥにサービスを提供し、システムの効率を高め、優れたユーザーエクスペリエンスを保証する。
2020523905.tif 000002
【特許請求の範囲】
【請求項１】
中央ユニット（ＤＵ）は、分散ユニット（ＣＵ）によって送信されたシステムメッセージに関する情報を受信するステップと、
ＤＵは、前記情報を端末に通知するステップとを備えることを特徴とするシステムメッセージの通知方法。
【請求項２】
前記システムメッセージに関する情報は、一部またはすべてのサービスカテゴリのアクセス制御補助情報であり、
ＤＵが前記情報を端末に通知すると、ＤＵは、前記アクセス制御補助情報に基づいて、システムメッセージに関するシステム情報を生成した後、端末に送信することを特徴とする請求項１に記載のシステムメッセージの通知方法。
【請求項３】
ＣＵによって更新された一部またはすべてのサービスカテゴリのアクセス制御補助情報を受信し、ＤＵは、更新された前記アクセス制御補助情報に基づいて、システムメッセージに関するシステム情報を生成した後、端末に送信することを特徴とする請求項２に記載のシステムメッセージの通知方法。
【請求項４】
前記システムメッセージに関する情報は、ＣＵがセル再選択パラメータに関連する情報に基づいて生成した関連システムメッセージブロックであり、
ＤＵが前記情報を端末に通知すると、ＤＵは、対応するスケジューリング時間に前記システムメッセージブロックを端末に送信することを特徴とする請求項１に記載のシステムメッセージの通知方法。
【請求項５】
前記システムメッセージブロックは、ＣＵがコンテナ（ｃｏｎｔａｉｎｅｒ）の形態でＤＵノードに送信されることを特徴とする請求項４に記載のシステムメッセージの通知方法。
【請求項６】
ＣＵによって更新されたセル内の特定のサービスカテゴリ的過負荷情報を受信した後、ＤＵは、対応するスケジューリング時間に端末に送信することを特徴とする請求項４または請求項５に記載のシステムメッセージの通知方法。
【請求項７】
ＣＵは、システムメッセージに関する情報を決定するステップと、
ＣＵは、前記システムメッセージに関する情報をＤＵに送信するステップとを備えることを特徴とするシステムメッセージの送信方法。
【請求項８】
前記システムメッセージに関する情報は、一部またはすべてのサービスカテゴリのアクセス制御補助情報であることを特徴とする請求項７に記載のシステムメッセージの送信方法。
【請求項９】
ＣＵは、更新された一部またはすべてのサービスカテゴリのアクセス制御補助情報をＤＵに送信することを特徴とする請求項８に記載のシステムメッセージの送信方法。
【請求項１０】
前記システムメッセージに関する情報は、ＣＵがセル再選択パラメータに関連する情報に基づいて生成した関連システムメッセージブロックであることを特徴とする請求項７に記載のシステムメッセージの送信方法。
【請求項１１】
前記システムメッセージブロックは、ＣＵがｃｏｎｔａｉｎｅｒの形態でＤＵノードに送信されることを特徴とする請求項１０に記載のシステムメッセージの送信方法。
【請求項１２】
ＣＵは、セル内特定のサービスカテゴリに関する更新された過負荷情報をＤＵに送信することを特徴とする請求項１０または請求項１１に記載のシステムメッセージの送信方法。
【請求項１３】
ＤＵにおいてＣＵによって送信されたシステムメッセージに関する情報を受信するための、受信モジュールと、
ＤＵにおいて前記情報を端末に通知するための、通知モジュールとを備えることを特徴とするシステムメッセージの通知装置。
【請求項１４】
通知モジュールは、さらに、前記システムメッセージに関する情報が一部またはすべてのサービスカテゴリのアクセス制御補助情報である場合、前記情報を端末に通知すると、前記アクセス制御補助情報に基づいて、システムメッセージに関するシステム情報を生成した後、端末に送信することを特徴とする請求項１３に記載のシステムメッセージの通知装置。
【請求項１５】
通知モジュールは、さらに、ＣＵによって更新された一部またはすべてのサービスカテゴリのアクセス制御補助情報を受信した後、更新された前記アクセス制御補助情報に基づいて、システムメッセージに関するシステム情報を生成した後、端末に送信することを特徴とする請求項１４に記載のシステムメッセージの通知装置。
【請求項１６】
通知モジュールは、さらに、前記システムメッセージに関する情報が、ＣＵがセル再選択パラメータに関連する情報に基づいて生成した関連システムメッセージブロックである場合、前記情報を端末に通知すると、対応するスケジューリング時間に前記システムメッセージブロックを端末に送信することを特徴とする請求項１３に記載のシステムメッセージの通知装置。
【請求項１７】
受信モジュールは、さらに、ＣＵがｃｏｎｔａｉｎｅｒの形態でＤＵノードに送信される前記システムメッセージブロックを受信することを特徴とする請求項１６に記載のシステムメッセージの通知装置。
【請求項１８】
通知モジュールは、さらに、ＣＵによって更新されたセル内の特定のサービスカテゴリ的過負荷情報を受信した後、対応するスケジューリング時間に端末に送信することを特徴とする請求項１６または請求項１７に記載のシステムメッセージの通知装置。
【請求項１９】
システムメッセージに関する情報を決定するための、決定モジュールと、
前記システムメッセージに関する情報をＤＵに送信するための、送信モジュールと、を備えることを特徴とするシステムメッセージの送信装置。
【請求項２０】
決定モジュールは、さらに、決定前記システムメッセージに関する情報は、一部またはすべてのサービスカテゴリのアクセス制御補助情報であることを特徴とする請求項１９に記載のシステムメッセージの送信装置。
【請求項２１】
送信モジュールは、さらに、更新された一部またはすべてのサービスカテゴリのアクセス制御補助情報をＤＵに送信することを特徴とする請求項２０に記載のシステムメッセージの送信装置。
【請求項２２】
決定モジュールは、さらに、前記システムメッセージに関する情報が、ＣＵがセル再選択パラメータに関連する情報に基づいて生成した関連システムメッセージブロックであると決定することを特徴とする請求項１９に記載のシステムメッセージの送信装置。
【請求項２３】
送信モジュールは、さらに、コンテナ（ｃｏｎｔａｉｎｅｒ）形式で、前記システムメッセージブロックをＤＵノードに送信することを特徴とする請求項２２に記載のシステムメッセージの送信装置。
【請求項２４】
送信モジュールは、さらに、セル内特定のサービスカテゴリに関する更新された過負荷情報をＤＵに送信することを特徴とする請求項２２または請求項２３に記載のシステムメッセージの送信装置。
【請求項２５】
プログラム命令を保存するための、メモリと、
前記メモリに保存されたプログラム命令を呼び出して、取得したプログラムに基づいて操作を実行するための、プロセッサとを備え、
前記プロセッサは、分散ユニット（ＣＵ）によって送信されたシステムメッセージに関する情報を受信し、
前記情報を端末に通知することを特徴とするシステムメッセージの通知装置。
【請求項２６】
プログラム命令を保存するための、メモリと、
前記メモリに保存されたプログラム命令を呼び出して、取得したプログラムに基づいて操作を実行するための、プロセッサとを備え、
前記プロセッサは、システムメッセージに関する情報を決定し、
前記システムメッセージに関する情報を中央ユニット（ＤＵ）に送信することを特徴とするシステムメッセージの送信装置。
【請求項２７】
コンピュータ実行可能命令を格納し、コンピュータ実行可能命令は、コンピュータが請求項１から１２のいずれか一項に記載の方法を実行できるようにするために使用されることを特徴とするコンピュータ記憶媒体。
【発明の詳細な説明】
【技術分野】
【０００１】
［関連出願の相互参照］
本出願は、２０１７年６月１５日に中国特許局に提出し、出願番号が２０１７１０４５４００４.０であり、発明名称が「システムメッセージ通知、送信方法および装置」との中国特許出願を基礎とする優先権を主張し、その開示の総てをここに取り込む。
【０００２】
［技術分野］
本発明は、無線通信技術分野に関し、特にシステムメッセージ通知、送信方法および装置に関する。
【背景技術】
【０００３】
図１は、ＬＴＥネットワークアーキテクチャの概略図である。示されているように、既存のモバイル通信ＬＴＥ（ｌｏｎｇ Ｔｅｒｍ Ｅｖｏｌｕｔｉｏｎ）システムでは、ネットワーク側のノードのほとんどは有線接続で接続されている。つまり、ｅＮＢ（Ｅｖｏｌｖｅｄ ＮｏｄｅＢ）は有線リンクで接続され、ｅＮＢとコアネットワークノード（ＭＭＥ（モビリティ管理エンティティ）、Ｓ−ＧＷ（サービングゲートウェイ）など）も有線リンクを介して接続される。
【０００４】
既存のアクセス制御およびシステム情報処理において、ｅＮＢは一般に単一のノードであるか、理想的なバックホールにより接続されたノードから構成される。各セル（Ｃｅｌｌ）のＳＩＢ２/１４（ＳＩＢ：Ｓｙｓｔｅｍ Ｉｎｆｏｒｍａｔｉｏｎ Ｂｌｏｃｋ）には、アクセス制御に関連するブロードキャスト情報、たとえばａｃ−ＢａｒｒｉｎｇＩｎｆｏ（アクセス禁止情報）などが含まれている。アイドル（Ｉｄｌｅ）状態のＵＥ（ユーザー機器）がサービス確立要求を受信すると、ＵＥは対応するサービスのブロック操作をトリガーできる。ブロックされると、サービス障害が上位層に通知され、一方、そうでない場合、通常のサービス確立手順が実行される。
【０００５】
図２は、ＣＵ−ＤＵアーキテクチャの概略図である。ＣＵ−ＤＵアーキテクチャの場合、ｇＮＢ（ｎｅｘｔ ｇｅｎｅｒａｔｉｏｎ ＮｏｄｅＢ，次世代ＮｏｄｅＢ）にはＣＵ（Ｃｅｎｔｒａｌ ｕｎｉｔ，中央ユニット）およびＤＵ（ｄｉｓｔｒｉｂｕｔｅｄ ｕｎｉｔ，分散ユニット）ノードが含まれる。図２に示すように、ＣＵノードはｇＮＢの主な機能（ＵＥのモビリティ管理とＲＲＣ（Ｒａｄｉｏ Ｒｅｓｏｕｒｃｅ Ｃｏｎｔｒｏｌ，無線リソース制御）などの機能）を持ち、ノードはｇＮＢのサブ機能を持ち、その動作はＣＵノードによって制御される。
【発明の概要】
【発明が解決しようとする課題】
【０００６】
従来技術では、すべてのＲＡＮ（Ｒａｄｉｏ Ａｃｃｅｓｓ Ｎｅｔｗｏｒｋ，無線アクセスネットワーク）動作はｅＮＢで完了し、手順は比較的単純で明確である。しかし、ＣＵ-ＤＵが導入された後、ＣＵとＤＵが相互に協力してアクセス制御やシステムメッセージ管理などの重要な機能を完了する方法についての解決策はまだ案出されていない。
【０００７】
本出願は、ＣＵ−ＤＵアーキテクチャの下でアクセス制御およびシステムメッセージ処理ソリューションを提供するために、システムメッセージ通知、送信方法および装置を提供する。
【課題を解決するための手段】
【０００８】
本発明の実施例に係るシステムメッセージの通知方法は、
ＤＵは、ＣＵによって送信されたシステムメッセージに関する情報を受信するステップと、
ＤＵは、前記情報を端末に通知するステップとを備える。
【０００９】
実施において、前記システムメッセージに関する情報は、一部またはすべてのサービスカテゴリのアクセス制御補助情報であり、
ＤＵが前記情報を端末に通知すると、ＤＵは、前記アクセス制御補助情報に基づいて、システムメッセージに関するシステム情報を生成した後、端末に送信する。
【００１０】
実施において、さらに、ＣＵによって更新された一部またはすべてのサービスカテゴリのアクセス制御補助情報を受信し、ＤＵは、更新された前記アクセス制御補助情報に基づいて、システムメッセージに関するシステム情報を生成した後、端末に送信する。
【００１１】
実施において、前記システムメッセージに関する情報は、ＣＵがセル再選択パラメータに関連する情報に基づいて生成した関連システムメッセージブロックであり、
ＤＵが前記情報を端末に通知すると、ＤＵは、対応するスケジューリング時間に前記システムメッセージブロックを端末に送信する。
【００１２】
実施において、前記システムメッセージブロックは、ＣＵがコンテナ（ｃｏｎｔａｉｎｅｒ）の形態でＤＵノードに送信される。
【００１３】
実施において、さらに、ＣＵによって更新されたセル内の特定のサービスカテゴリ的過負荷情報を受信した後、ＤＵは、対応するスケジューリング時間に端末に送信する。
本発明の実施例に係るシステムメッセージの送信方法は、
ＣＵは、システムメッセージに関する情報を決定するステップと、
ＣＵは、前記システムメッセージに関する情報をＤＵに送信するステップとを備える。
【００１４】
実施において、前記システムメッセージに関する情報は、一部またはすべてのサービスカテゴリのアクセス制御補助情報である。
実施において、さらに、ＣＵは、更新された一部またはすべてのサービスカテゴリのアクセス制御補助情報をＤＵに送信する。
【００１５】
実施において、前記システムメッセージに関する情報は、ＣＵがセル再選択パラメータに関連する情報に基づいて生成した関連システムメッセージブロックである。
【００１６】
実施において、前記システムメッセージブロックは、ＣＵがコンテナ（ｃｏｎｔａｉｎｅｒ）の形態でＤＵノードに送信される。
【００１７】
実施において、さらに、ＣＵは、セル内特定のサービスカテゴリに関する更新された過負荷情報をＤＵに送信する。
【００１８】
本発明の実施例に係るシステムメッセージの通知装置は、
ＤＵにおいてＣＵによって送信されたシステムメッセージに関する情報を受信するための、受信モジュールと、
ＤＵにおいて前記情報を端末に通知するための、通知モジュールとを備える。
【００１９】
実施において、通知モジュールは、さらに、前記システムメッセージに関する情報が一部またはすべてのサービスカテゴリのアクセス制御補助情報である場合、前記情報を端末に通知すると、前記アクセス制御補助情報に基づいて、システムメッセージに関するシステム情報を生成した後、端末に送信する。
【００２０】
実施において、通知モジュールは、さらに、ＣＵによって更新された一部またはすべてのサービスカテゴリのアクセス制御補助情報を受信した後、更新された前記アクセス制御補助情報に基づいて、システムメッセージに関するシステム情報を生成した後、端末に送信する。
【００２１】
実施において、通知モジュールは、さらに、前記システムメッセージに関する情報が、ＣＵがセル再選択パラメータに関連する情報に基づいて生成した関連システムメッセージブロックである場合、前記情報を端末に通知すると、対応するスケジューリング時間に前記システムメッセージブロックを端末に送信する。
【００２２】
実施において、受信モジュールは、さらに、ＣＵがｃｏｎｔａｉｎｅｒの形態でＤＵノードに送信される前記システムメッセージブロックを受信する。
【００２３】
実施において、通知モジュールは、さらに、ＣＵによって更新されたセル内の特定のサービスカテゴリ的過負荷情報を受信した後、対応するスケジューリング時間に端末に送信する。
【００２４】
本発明の実施例に係るシステムメッセージの送信装置は、
システムメッセージに関する情報を決定するための、決定モジュールと、
前記システムメッセージに関する情報をＤＵに送信するための、送信モジュールとを備える。
【００２５】
実施において、決定モジュールは、さらに、決定前記システムメッセージに関する情報は、一部またはすべてのサービスカテゴリのアクセス制御補助情報である。
【００２６】
実施において、送信モジュールは、さらに、更新された一部またはすべてのサービスカテゴリのアクセス制御補助情報をＤＵに送信する。
【００２７】
実施において、決定モジュールは、さらに、前記システムメッセージに関する情報が、ＣＵがセル再選択パラメータに関連する情報に基づいて生成した関連システムメッセージブロックであると決定する。
【００２８】
実施において、送信モジュールは、さらに、ｃｏｎｔａｉｎｅｒの形態で前記システムメッセージブロックをＤＵノードに送信する。
【００２９】
実施において、送信モジュールは、さらに、セル内特定のサービスカテゴリに関する更新された過負荷情報をＤＵに送信する。
【００３０】
本発明の実施例に係る他のシステムメッセージの通知装置は、
プログラム命令を保存するための、メモリと、
前記メモリに保存されたプログラム命令を呼び出して、取得したプログラムに基づいて操作を実行するための、プロセッサとを備え、
前記プロセッサは、分散ユニット（ＣＵ）によって送信されたシステムメッセージに関する情報を受信し、
前記情報を端末に通知する。
【００３１】
本発明の実施例に係る他のシステムメッセージの送信装置は、
プログラム命令を保存するための、メモリと、
前記メモリに保存されたプログラム命令を呼び出して、取得したプログラムに基づいて操作を実行するための、プロセッサとを備え、
前記プロセッサは、システムメッセージに関する情報を決定し、
前記システムメッセージに関する情報を中央ユニット（ＤＵ）に送信する。
【００３２】
本発明の他の実施例は、コンピュータ実行可能命令を格納し、コンピュータ実行可能命令は、コンピュータが上記いずれかの方法を実行できるようにするために使用されることを特徴とするコンピュータ記憶媒体、を提供する。
【発明の効果】
【００３３】
本発明は以下の有益な効果を有する。
【００３４】
本発明によって提供される技術的解決策において、ＤＵは、ＣＵによって送信されたシステムメッセージに関する情報をＤＵが受信した後に、情報を端末に通知する。
【００３５】
さらに、システムメッセージに関する情報が、一部またはすべてのサービスカテゴリのアクセス制御補助情報である場合、ＤＵは、前記アクセス制御補助情報に基づいて、システムメッセージに関するシステム情報を生成した後、端末に送信する。
【００３６】
または、システムメッセージに関する情報が、ＣＵがセル再選択パラメータに関連する情報に基づいて生成した関連システムメッセージブロックである場合、ＤＵは、対応するスケジューリング時間に前記システムメッセージブロックを端末に送信する。
【００３７】
従って、当該解決策ＣＵがＤＵに十分な補助情報を提供でき、ＤＵが十分な補助に従って適切なシステム情報を生成できるように、ＣＵ-ＤＵアーキテクチャの下でアクセス制御およびシステムメッセージ処理ソリューションを提供する。両方が連携してＵＥにサービスを提供し、システムの効率を高め、優れたユーザーエクスペリエンスを保証する。
【００３８】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００３９】
【図１】背景技術におけるＬＴＥネットワークアーアーキテクチャの概略図である。
【図２】背景技術におけるＣＵ-ＤＵアーキテクチャの概略図である。
【図３】本発明の実施例におけるＤＵ側のシステムメッセージの通知方法の実施フローの概略図である。
【図４】本発明の実施例におけるＣＵ側のシステムメッセージの送信方法の実施フローの概略図である。
【図５】本発明の実施例１の初期構成プロセスの実施フローの概略図である。
【図６】本発明の実施例２の初期構成プロセスの実施フローの概略図である。
【図７】本発明の実施例３の構成更新プロセスの実施フローの概略図である。
【図８】本発明の実施例４の構成更新プロセスの実施フローの概略図である。
【図９】本発明の実施例５のセル再選択パラメータの設定プロセスの実施フローの概略図である。
【図１０】本発明の実施例における、ＤＵ側のシステムメッセージの通知装置の構造概略図である。
【図１１】本発明の実施例における、ＣＵ側のシステムメッセージの送信装置の構造概略図である。
【図１２】本発明の実施例における、ＤＵの構造概略図である。
【図１３】本発明の実施例における、ＣＵの構造概略図である。
【発明を実施するための形態】
【００４０】
モバイル通信システムの将来の開発において、ユーザーの要求によりよく応え、ネットワーク容量およびスループットを大幅に増加させるために、より多くの送信ノードおよびより大きな送信帯域幅を導入しなければならない。５Ｇネットワークでは、より大きな帯域幅とより大きな伝送速度を実現するために、小さな高周波のステーションの導入は容赦ない傾向になる可能性がある。これらの小さな高周波のステーションをローカルで集中管理することで、集中的な処理ゲインが得られる可能性があるため、ＣＵ-ＤＵアーキテクチャが導入される。本願の実施形態は、ＣＵ-ＤＵアーキテクチャの下でシステムメッセージ処理ソリューションを提案し、ＣＵおよびＤＵが協調して動作して、ユーザーにタイムリーかつ効率的なアクセス制御関連情報を提供し、システムリソースの使用効率をさらに高めることを保証する。
【００４１】
具体的には、ソリューションがアクセスを含む場合、ＣＵは、一部またはすべてのサービスカテゴリのアクセス制御補助情報をＤＵに提供し、ＤＵノードはアクセス制御に関するシステム情報を生成し、システム情報をＵＥに送信する。
【００４２】
再選択が含まれる場合、ＣＵは、周波数内／周波数間／システム間セル再選択パラメータなどの情報を生成し、関連するシステムメッセージブロックを生成し、ＣＵは、ｃｏｎｔａｉｎｅｒの形態でこれらの情報をＤＵノードに転送する。そして、ＤＵノードは、対応するスケジューリング時間に送ＵＥに情報を送信する。
【００４３】
本発明の特定の実施形態を、図面と組み合わせて以下に説明する。
本発明において、ＣＵおよびＤＵ側での実施がそれぞれ示され、次いで、本発明の実施形態で提供される解決策の実施をよりよく理解するために、ＣＵおよびＤＵの両方によって協力して実施される例も示される。このような説明は、協力して実施する必要がある、または単独で実施する必要があるという意味ではない。実際、ＣＵとＤＵを別々に実施すると、それぞれＣＵとＤＵ側の問題も解決できるが、組み合わせて使用すると、より優れた技術的効果が得られる。実際、ＣＵおよびＤＵが端末と協力する実施形態も例に挙げられ得る。
【００４４】
図３はＤＵ側のシステムメッセージの通知方法の実施フローの概略図である。示されるように、この方法は以下のステップを含むことができる。
ステップ３０１において、ＤＵは、ＣＵによって送信されたシステムメッセージに関する情報を受信する。
ステップ３０２において、ＤＵは、前記情報を端末に通知する。
実施において、前記システムメッセージに関する情報は、一部またはすべてのサービスカテゴリのアクセス制御補助情報である。
ＤＵが前記情報を端末に通知すると、ＤＵは、前記アクセス制御補助情報に基づいて、システムメッセージに関するシステム情報を生成した後、端末に送信する。
【００４５】
実施において、さらに、ＣＵによって更新された一部またはすべてのサービスカテゴリのアクセス制御補助情報を受信し、ＤＵは、更新された前記アクセス制御補助情報に基づいて、システムメッセージに関するシステム情報を生成した後、端末に送信する。
【００４６】
実施において、前記システムメッセージに関する情報は、ＣＵがセル再選択パラメータに関連する情報に基づいて生成した関連システムメッセージブロックである。
ＤＵが前記情報を端末に通知すると、ＤＵは、対応するスケジューリング時間に前記システムメッセージブロックを端末に送信する。
【００４７】
実施において、前記システムメッセージブロックは、ＣＵがｃｏｎｔａｉｎｅｒの形態でＤＵノードに送信される。
【００４８】
実施において、さらに、
ＣＵによって更新されたセル内の特定のサービスカテゴリ的過負荷情報を受信した後、ＤＵは、対応するスケジューリング時間に端末に送信する。
これに応じて、ＣＵに対し以下の解決策が提供される。
【００４９】
図４はＣＵ側のシステムメッセージの送信方法の実施フローの概略図である。示されるように、この方法は以下のステップを含むことができる。
ステップ４０１において、ＣＵは、システムメッセージに関する情報を決定する。
ステップ４０２において、ＣＵは、前記システムメッセージに関する情報をＤＵに送信する。
【００５０】
実施において、前記システムメッセージに関する情報は、一部またはすべてのサービスカテゴリのアクセス制御補助情報である。
実施において、さらに、ＣＵは、更新された一部またはすべてのサービスカテゴリのアクセス制御補助情報をＤＵに送信する。
実施において、前記システムメッセージに関する情報は、ＣＵがセル再選択パラメータに関連する情報に基づいて生成した関連システムメッセージブロックである。
実施において、前記システムメッセージブロックは、ＣＵがｃｏｎｔａｉｎｅｒの形態でＤＵノードに送信される。
実施において、さらに、ＣＵは、セル内特定のサービスカテゴリに関する更新された過負荷情報をＤＵに送信する。
【００５１】
以下、実施例を挙げて説明する。
【００５２】
実施例１：
本実施例は初期構成プロセスを説明する。
図５は実施例１の初期構成プロセスの実施フローの概略図である。示されるように、この方法は以下のステップを含むことができる。
ステップ５０１において、ＣＵは、サービスアクセス制御プロセスを開始する。
具体的には、ＣＵは、特定のアルゴリズム、または、ＯＡＭ（Ｏｐｅｒａｔｉｏｎｓ，Ａｄｍｉｎｉｓｔｒａｔｉｏｎ ａｎｄ Ｍａｉｎｔｅｎａｎｃｅ，操作、管理およびメンテナンス）、サーバーの構成などに従って、いくつかまたはすべてのサービスカテゴリ（ａｃｃｅｓｓ ｃａｔｅｇｏｒｙ）のアクセス制御構成パラメータ（例えば、ブロッキング確率係数またはブロッキング時間または他のパラメータ）を形成する。そして、サービスカテゴリに従って、これらの構成パラメータをＣＵ-ＤＵインターフェースの共通メッセージプロセス（例えば、別個に定義されたサービス制御プロセス、またはセル管理関連プロセスなどを使用）を通じてＤＵに通知する。
【００５３】
ステップ５０２において、ＤＵは、サービスアクセス制御応答を実行する。
オプションとして、ＤＵは、当該共通メッセージプロセスに返信してもよい。
ステップ５０３において、ＤＵは、アクセス制御パラメータを含むシステム情報ブロックをＵＥに送信する。
具体的には、ＤＵは、これらのアクセス制御に関連するパラメータ構成に基づいて、特定のセルのシステムメッセージブロックを生成し、対応するスケジューリング時間にＵＥに送信する。
【００５４】
ステップ５０４において、ＵＥはアクセス制御決定を行う。
具体的には、ＵＥがサービス要求を開始するとき、当該システムメッセージブロック内の情報に従ってアクセス制御決定を行う必要がある。
【００５５】
ステップ５０５において、アクセス決定が認めると、ＵＥは、サービスアクセスプロセスを開始する。
【００５６】
実施例２：
本実施例は他の初期構成プロセスを説明する。
図６は、実施例２の初期構成プロセスの実施フローの概略図である。示されるように、プロセスは以下のステップを含むことができる。
【００５７】
ステップ６０１において、ＣＵは、サービス過負荷指示プロセスを開始する。
具体的には、ＣＵは、特定のアルゴリズム、または、ＯＡＭ、サーバー、コアネットワークの構成などに従って、一部またはすべてのサービスカテゴリ（ａｃｃｅｓｓ ｃａｔｅｇｏｒｙ）の過負荷レベル情報（例えば、軽負荷、中負荷、重負荷などのような３つのレベルに限定されない軽負荷、中負荷、重負荷など）を生成し、これらの過負荷レベル情報を、サービスカテゴリに従って、ＣＵ-ＤＵインターフェースの共通メッセージプロセス（例えば、別個に定義された過負荷指示プロセス、または、セル管理関連プロセスなどを使用）に通じて、ＤＵに通知する。
【００５８】
ステップ６０２において、ＤＵは、サービス過負荷指示応答を実行する。
オプションとして、ＤＵは、当該共通メッセージプロセスに返信してもよい。
【００５９】
ステップ６０３：ＤＵは、対応するアクセス制御パラメータを生成する。
具体的には、ＤＵは、ＤＵの特定のアルゴリズムと組み合わせて過負荷レベル情報に従って、対応するセルアクセス制御に関連するパラメータ構成情報を生成し、次いで、当該セルのシステムメッセージブロックをさらに生成し、対応するスケジューリング時間にＵＥに送信する。
【００６０】
ステップ６０４において、ＤＵは、アクセス制御パラメータを含むシステム情報ブロックをＵＥに送信する。
【００６１】
ステップ６０５において、ＵＥはアクセス制御決定を行う。
具体的には、ＵＥがサービス要求を開始するとき、当該システムメッセージブロック内の情報に従ってアクセス制御決定を行う必要がある。
【００６２】
ステップ６０６において、アクセス決定が認めると、ＵＥは、サービスアクセスプロセスを開始する。
【００６３】
実施例３：
本実施例は構成更新プロセスを説明する。
図７は実施例３の構成更新プロセスの実施フローの概略図である。示されるように、プロセスは以下のステップを含むことができる。
【００６４】
ステップ７０１：ＣＵは、構成更新プロセスを開始する。
具体的には、ＣＵは、特定のアルゴリズム、または、ＯＡＭ、サーバーの構成などに従って、一部またはすべてのサービスカテゴリ（ａｃｃｅｓｓ ｃａｔｅｇｏｒｙ）に対して新しいアクセス制御構成パラメータを生成し、そして、サービスカテゴリに従って、これらの構成パラメータをＣＵ-ＤＵインターフェースの共通メッセージ更新プロセス（例えば、別個に定義されたサービスの構成更新プロセス、または、セル管理関連プロセスなどを使用）を通じてＤＵに通知する。
【００６５】
ステップ７０２において、ＤＵは、サービス構成更新応答を実行する。
オプションとして、ＤＵは、この共通メッセージ更新プロセスに返信してもよい。
【００６６】
ステップ７０３において、ＤＵは、新しいアクセス制御パラメータを含むシステム情報ブロックをＵＥに送信する。
具体的には、ＤＵは、これらの新しいアクセス制御に関連するパラメータ構成に従って特定セルのシステム更新メッセージを生成し、対応するスケジューリング時間にＵＥに送信する。
【００６７】
ステップ７０４において、ＵＥはアクセス制御決定を行う。
具体的には、ＵＥがサービス要求を開始するとき、新しいアクセス制御情報に従ってアクセス制御決定を行う必要がある。
【００６８】
ステップ７０５において、アクセス決定が認めると、ＵＥは、サービスアクセスプロセスを開始する。
【００６９】
実施例４：
本実施例の他の構成更新プロセスを説明する。
図８は実施例４の構成更新プロセスの実施フローの概略図である。示されるように、プロセスは以下のステップを含むことができる。
【００７０】
ステップ８０１において、ＣＵは、過負荷指示更新プロセスを開始する。
具体的には、ＣＵは、特定のアルゴリズム、または、セル内のサービスのリアルタイムスケジューリング情報などに従って、一部またはすべてのサービスカテゴリ（ａｃｃｅｓｓ ｃａｔｅｇｏｒｙ）の新しい過負荷レベル情報（例えば、軽負荷、中負荷、重負荷などのような３つのレベルに限定されない軽負荷、中負荷、重負荷など）を生成し、これらの更新された過負荷レベル情報をサービスカテゴリに従って、ＣＵ-ＤＵインターフェースの共通メッセージ更新プロセス（例えば、別個に定義された過負荷指示変更プロセス、または、セル管理関連プロセスなどを使用）を通じてＤＵに通知する。
【００７１】
ステップ８０２において、ＤＵは、過負荷指示更新応答を実行する。
オプションとして、ＤＵは、この共通メッセージ更新プロセスに返信してもよい。
【００７２】
ステップ８０３：ＤＵは、対応するアクセス制御パラメータを生成する。
具体的には、ＤＵは、ＤＵの特定のアルゴリズムと組み合わせて、新しい過負荷レベル情報に従って、対応するセルの新しいアクセス制御パラメータ情報を生成し、さらに、セルのシステム更新メッセージを生成し、対応するスケジューリング時間にＵＥに送信する。
【００７３】
ステップ８０４：ＤＵは、新しいアクセス制御パラメータを含むシステム情報更新メッセージをＵＥに送信する。
具体的には、ＵＥがサービス要求を開始するとき、新しいアクセス制御情報に従ってアクセス制御決定を行う必要がある。
【００７４】
ステップ８０５において、ＵＥはアクセス制御決定を行う。
【００７５】
ステップ８０６において、アクセス決定が認めると、ＵＥは、サービスアクセスプロセスを開始する。
【００７６】
実施例５：
本実施例はセル再選択パラメータの設定プロセスを説明する。
図９は実施例５のセル再選択パラメータの設定プロセスの実施フローの概略図である。示されるように、プロセスは以下のステップを含むことができる。
【００７７】
ステップ９００において、ＣＵは、セル再選択パラメータを生成する。
具体的には、ＣＵは、特定のアルゴリズムまたは他のデバイスなどからの補助情報に従って、周波数内／周波数間／システム間のセル再選択パラメータ（例えば、再選択閾値などのパラメータ）を組成し、これらの構成パラメータから対応するシステムメッセージブロックを生成する。
【００７８】
ステップ９０１において、ＣＵは、システム情報更新プロセスを開始する。
具体的には、ＣＵは、生成されたシステム情報を、ブロックｃｏｎｔａｉｎｅｒの形態でＣＵ-ＤＵインターフェースの共通メッセージプロセス（例えば、別個に定義されたシステム情報更新プロセス、または、またはたのセル管理関連プロセスなどを使用）を通じてＤＵに通知する。
【００７９】
ステップ９０２において、ＤＵは、システム情報更新応答を実行する。
オプションとして、ＤＵは、当該共通メッセージプロセスに返信してもよい。
【００８０】
ステップ９０３において、ＤＵは、適切なスケジューリング情報を生成する。
具体的には、ＤＵは、これらのシステムパラメータ構成に従って適切なシステムメッセージスケジューリング情報を生成する。
【００８１】
ステップ９０４：ＤＵは、セル再選択パラメータを含むシステム情報ブロックをＵＥに送信する。
具体的には、ＤＵは、対応するスケジューリング時間に更新されたシステムメッセージをＵＥに送信する。
【００８２】
ステップ９０５において、システムメッセージの解釈を完了した後、ＵＥは、サービスアクセスプロセスを開始する。
【００８３】
同じ発明の思想に基づいて、本発明の実施例は、システムメッセージの通知装置、システムメッセージの送信装置を提供する。これらの装置の問題を解決する原理は、システムメッセージを通知する方法およびシステムメッセージを送信する方法に類似しているため、これらの装置の実装は、方法の実装を参照でき、その繰り返しの説明は省略する。
【００８４】
図１０はＤＵ側のシステムメッセージの通知装置の構造概略図である。示されるように、装置は、ＤＵで、ＣＵによって送信されたシステムメッセージに関する情報を受信するための、受信モジュール１００１と、
ＤＵで、前記情報を端末に通知するための、通知モジュール１００２とを備える。
【００８５】
実施において、通知モジュールは、さらに、前記システムメッセージに関する情報が一部またはすべてのサービスカテゴリのアクセス制御補助情報である場合、前記情報を端末に通知すると、前記アクセス制御補助情報に基づいて、システムメッセージに関するシステム情報を生成した後、端末に送信する。
【００８６】
実施において、通知モジュールは、さらに、ＣＵによって更新された一部またはすべてのサービスカテゴリのアクセス制御補助情報を受信した後、更新された前記アクセス制御補助情報に基づいて、システムメッセージに関するシステム情報を生成した後、端末に送信する。
【００８７】
実施において、通知モジュールは、さらに、前記システムメッセージに関する情報が、ＣＵがセル再選択パラメータに関連する情報に基づいて生成した関連システムメッセージブロックである場合、前記情報を端末に通知すると、対応するスケジューリング時間に前記システムメッセージブロックを端末に送信する。
【００８８】
実施において、受信モジュールは、さらに、ＣＵがｃｏｎｔａｉｎｅｒの形態でＤＵノードに送信される前記システムメッセージブロックを受信する。
【００８９】
実施において、通知モジュールは、さらに、ＣＵによって更新されたセル内の特定のサービスカテゴリ的過負荷情報を受信した後、対応するスケジューリング時間に端末に送信する。
【００９０】
図１１はＣＵ側のシステムメッセージの送信装置の構造概略図である。示されるように、装置は、システムメッセージに関する情報を決定するための、決定モジュール１１０１と、
前記システムメッセージに関する情報をＤＵに送信するための、送信モジュール１１０２とを備える。
【００９１】
実施において、決定モジュールは、さらに、決定前記システムメッセージに関する情報は、一部またはすべてのサービスカテゴリのアクセス制御補助情報である。
実施において、送信モジュールは、さらに、更新された一部またはすべてのサービスカテゴリのアクセス制御補助情報をＤＵに送信する。
【００９２】
実施において、決定モジュールは、さらに、前記システムメッセージに関する情報が、ＣＵがセル再選択パラメータに関連する情報に基づいて生成した関連システムメッセージブロックであると決定する。
実施において、送信モジュールは、さらに、ｃｏｎｔａｉｎｅｒの形態で前記システムメッセージブロックをＤＵノードに送信する。
実施において、送信モジュールは、さらに、セル内特定のサービスカテゴリに関する更新された過負荷情報をＤＵに送信する。
【００９３】
説明の便宜のために、上述のデバイスのすべての部分は、機能ごとに様々なモジュールまたはユニットに分割され、それぞれについて説明する。もちろん、様々なモジュールまたはユニットの機能は、本出願が実施されるとき、同じ１つまたは複数のソフトウェアまたはハードウェアで実施することができる。
【００９４】
本発明の実施例によって提供される技術的解決策が実施されるとき、それは以下のような方法で実施することができる。
【００９５】
図１２はＤＵの構造概略図である。示されるように、基地局は、プロセッサ１２００と、送受信機１２１０とを備える。
【００９６】
前記プロセッサ１２００は、メモリ１２２０に格納されたプログラムを読み取り、以下のプロセスを実行する。
【００９７】
送受信機のニーズに応じてデータ処理を行う。
送受信機１２１０は、プロセッサ１２００の制御の下でデータを送受信し、以下のプロセスを実行する。
ＣＵによって送信されたシステムメッセージに関する情報を受信し、情報を端末に通知する。
実施において、前記システムメッセージに関する情報は、一部またはすべてのサービスカテゴリのアクセス制御補助情報である。
【００９８】
ＤＵが前記情報を端末に通知すると、ＤＵは、前記アクセス制御補助情報に基づいて、システムメッセージに関するシステム情報を生成した後、端末に送信する。
【００９９】
実施において、さらに、ＣＵによって更新された一部またはすべてのサービスカテゴリのアクセス制御補助情報を受信し、ＤＵは、更新された前記アクセス制御補助情報に基づいて、システムメッセージに関するシステム情報を生成した後、端末に送信する。
【０１００】
実施において、前記システムメッセージに関する情報は、ＣＵがセル再選択パラメータに関連する情報に基づいて生成した関連システムメッセージブロックである。
ＤＵが前記情報を端末に通知すると、ＤＵは、対応するスケジューリング時間に前記システムメッセージブロックを端末に送信する。
実施において、前記システムメッセージブロックは、ＣＵがｃｏｎｔａｉｎｅｒの形態でＤＵノードに送信される。
【０１０１】
実施において、さらに、ＣＵによって更新されたセル内の特定のサービスカテゴリ的過負荷情報を受信した後、ＤＵは、対応するスケジューリング時間に端末に送信する。
【０１０２】
ここで、図１２において、バスアーキテクチは、いずれ数の相互接続するバス及びブリッジを備える。具体的に、プロセッサ１２００が代表となる１つまたは複数のプロセッサ及びメモリ１２２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１２１０は、複数の部品であることができ、即ち送信機及び受信機を備え、伝送媒体を介して他の装置と通信するユニットを提供する。プロセッサ１２００は、バズアーキテクチャ及び通常の処理を管理し、メモリ１２２０は、プロセッサ１２００が動作する際に利用するデータを記憶することができる。
【０１０３】
図１３は、ＣＵの構造概略図である。示されるように、ＣＵは、プロセッサ１３００と、送受信機１３１０とを備える。
【０１０４】
前記プロセッサ１３００は、メモリ１３２０に格納されたプログラムを読み取り、以下のプロセスを実行する。
システムメッセージに関する情報を決定する。
【０１０５】
前記送受信機１３１０は、プロセッサ１３００の制御の下でデータを送受信し、以下のプロセスを実行する。
前記システムメッセージに関する情報をＤＵに送信する。
実施において、前記システムメッセージに関する情報は、一部またはすべてのサービスカテゴリのアクセス制御補助情報である。
実施において、さらに、ＣＵは、更新された一部またはすべてのサービスカテゴリのアクセス制御補助情報をＤＵに送信する。
【０１０６】
実施において、前記システムメッセージに関する情報は、ＣＵがセル再選択パラメータに関連する情報に基づいて生成した関連システムメッセージブロックである。
実施において、前記システムメッセージブロックは、ＣＵがｃｏｎｔａｉｎｅｒの形態でＤＵノードに送信される。
実施において、さらに、ＣＵは、セル内特定のサービスカテゴリに関する更新された過負荷情報をＤＵに送信する。
【０１０７】
ここで、図１３において、バスアーキテクチは、いずれ数の相互接続するバス及びブリッジを備える。具体的に、プロセッサ１３００が代表となる１つまたは複数のプロセッサ及びメモリ１３２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１３１０は、複数の部品であることができ、即ち送信機及び受信機を備え、伝送媒体を介して他の装置と通信するユニットを提供する。プロセッサ１３００は、バズアーキテクチャ及び通常の処理を管理し、メモリ１３２０は、プロセッサ１３００が動作する際に利用するデータを記憶することができる。
【０１０８】
要約すると本発明の実施例によって提供される技術的解決策では、ＣＵは、一部またはすべてのサービスカテゴリのアクセス制御補助情報をＤＵに提供し、ＤＵノードは、アクセス制御に関連するシステム情報を生成して、ＵＥに送信する。
【０１０９】
ＣＵは、周波数内／周波数間／システム間のセル再選択パラメータなどの情報を生成し、関連システムメッセージブロックを生成し、ＣＵは、ｃｏｎｔａｉｎｅｒの形態でこれらの情報をＤＵノードに転送して、ＤＵノードは、対応するスケジューリング時間に情報をＵＥに送信する。
【０１１０】
ここで、一部またはすべてのサービスカテゴリについて、ＣＵノードは、各セルについてこれらのサービスカテゴリに対応するアクセス制御パラメータ（例えば、ブロッキング確率因子またはブロッキング時間など）を割り当て、そして、サービスカテゴリに従って、これらの構成パラメータをセルに対応するＤＵノードに通知する。
【０１１１】
いくつかの特定のサービスカテゴリについて、ＣＵは、ＣＵのサービス負荷状態または他の補助情報などに従ってサービスカテゴリが過負荷になっているかどうかに関する情報をセルに対応するＤＵノードに通知することができる。これにより、ＤＵがこれらの特定のサービスカテゴリのアクセス制御パラメータを決定することができるようになる。
【０１１２】
ＤＵは、上記の２つの方法によって得られたアクセス制御パラメータ値などの情報に従って、サービスカテゴリに従って対応するシステムメッセージを生成し、セル内のすべての端末にシステムメッセージを通知することができる。
ＣＵは、サービスカテゴリの一部または全部に対応するアクセス制御パラメータを更新し、ＤＵノードに通知することができる。
ＣＵは、セル内の特定のサービスカテゴリの過負荷情報を更新し、ＤＵノードに通知することができる。
【０１１３】
ＣＵは、周波数内／周波数間／システム間のセル再選択パラメータ（例えば、再選択閾値などのパラメータ）を生成し、これらの構成パラメータから対応するシステムメッセージブロックを生成する。
ＣＵは、生成されたシステム情報ブロックをｃｏｎｔａｉｎｅｒの形態でＤＵに通知する。
ＤＵは、対応するスケジューリング時間に更新されたシステムメッセージをＵＥに送信する。
【０１１４】
本発明の実施例は、コンピュータ実行可能命令を格納し、コンピュータ実行可能命令は、コンピュータが上記本発明の実施例によるいずれの方法のプログラムを実行できるようにするために使用されることを特徴とするコンピュータ記憶媒体を提供する。
【０１１５】
コンピュータ記憶媒体は、コンピュータにアクセス可能な任意の利用可能な媒体またはデータ記憶装置であり得るが、磁気メモリ（例えば、フロッピーディスク、ハードディスク、磁気テープ、磁気光学ディスク（ＭＯ）など）、光学メモリ（例えば、ＣＤ、ＤＶＤ、ＢＤ、ＨＶＤなど）、半導体メモリ（例えば、ＲＯＭ、ＥＰＲＯＭ、ＥＥＰＲＯＭ、不揮発性メモリ（ＮＡＮＤ ＦＬＡＳＨ）、ソリッドステートディスク（ＳＳＤ））などを含むがこれらに限定されない。
【０１１６】
要約すると、本発明の実施例は、ＣＵがＤＵに十分な補助情報を提供でき、ＤＵが十分な補助に従って適切なシステム情報を生成できるように、ＣＵ-ＤＵアーキテクチャの下でアクセス制御およびシステムメッセージ処理ソリューションを提供する。両方が連携してＵＥにサービスを提供し、システムの効率を高め、優れたユーザーエクスペリエンスを保証する。
【０１１７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形態を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１１８】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１１９】
これらのコンピュータプログラム命令は又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１２０】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１２１】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１２３】
１００１  受信モジュール
１００２  通知モジュール
１１０１  決定モジュール
１１０２  送信モジュール
１２００  プロセッサ
１２１０  送受信機
１２２０  メモリ
１３００  プロセッサ
１３１０  送受信機
１３２０  メモリ
【図１】
2020523905.tif 000003
【図２】
2020523905.tif 000004
【図３】
2020523905.tif 000005
【図４】
2020523905.tif 000006
【図５】
2020523905.tif 000007
【図６】
2020523905.tif 000008
【図７】
2020523905.tif 000009
【図８】
2020523905.tif 000010
【図９】
2020523905.tif 000011
【図１０】
2020523905.tif 000012
【図１１】
2020523905.tif 000013
【図１２】
2020523905.tif 000014
【図１３】
2020523905.tif 000015
【手続補正書】
【提出日】令和1年12月13日(2019.12.13)
【手続補正１】
【補正対象書類名】明細書
【補正対象項目名】００３０
【補正方法】変更
【補正の内容】
【００３０】
本発明の実施例に係る他のシステムメッセージの通知装置は、
プログラム命令を保存するための、メモリと、
前記メモリに保存されたプログラム命令を呼び出して、取得したプログラムに基づいて操作を実行するための、プロセッサとを備え、
前記プロセッサは、中央ユニット（ＣＵ）によって送信されたシステムメッセージに関する情報を受信し、
前記情報を端末に通知する。
【手続補正２】
【補正対象書類名】明細書
【補正対象項目名】００３１
【補正方法】変更
【補正の内容】
【００３１】
本発明の実施例に係る他のシステムメッセージの送信装置は、
プログラム命令を保存するための、メモリと、
前記メモリに保存されたプログラム命令を呼び出して、取得したプログラムに基づいて操作を実行するための、プロセッサとを備え、
前記プロセッサは、システムメッセージに関する情報を決定し、
前記システムメッセージに関する情報を分散ユニット（ＤＵ）に送信する。
【手続補正３】
【補正対象書類名】特許請求の範囲
【補正対象項目名】全文
【補正方法】変更
【補正の内容】
【特許請求の範囲】
【請求項１】
分散ユニット（ＤＵ）は、中央ユニット（ＣＵ）によって送信されたシステムメッセージに関する情報を受信するステップと、
ＤＵは、前記情報を端末に通知するステップとを備えることを特徴とするシステムメッセージの通知方法。
【請求項２】
前記システムメッセージに関する情報は、一部またはすべてのサービスカテゴリのアクセス制御補助情報であり、
ＤＵが前記情報を端末に通知すると、ＤＵは、前記アクセス制御補助情報に基づいて、システムメッセージに関するシステム情報を生成した後、端末に送信することを特徴とする請求項１に記載のシステムメッセージの通知方法。
【請求項３】
ＣＵによって更新された一部またはすべてのサービスカテゴリのアクセス制御補助情報を受信し、ＤＵは、更新された前記アクセス制御補助情報に基づいて、システムメッセージに関するシステム情報を生成した後、端末に送信することを特徴とする請求項２に記載のシステムメッセージの通知方法。
【請求項４】
前記システムメッセージに関する情報は、ＣＵがセル再選択パラメータに関連する情報に基づいて生成した関連システムメッセージブロックであり、
ＤＵが前記情報を端末に通知すると、ＤＵは、対応するスケジューリング時間に前記システムメッセージブロックを端末に送信し、
前記システムメッセージブロックは、ＣＵがコンテナ（ｃｏｎｔａｉｎｅｒ）の形態でＤＵノードに送信されることを特徴とする請求項１に記載のシステムメッセージの通知方法。
【請求項５】
ＣＵは、システムメッセージに関する情報を決定するステップと、
ＣＵは、前記システムメッセージに関する情報をＤＵに送信するステップとを備えることを特徴とするシステムメッセージの送信方法。
【請求項６】
前記システムメッセージに関する情報は、一部またはすべてのサービスカテゴリのアクセス制御補助情報であることを特徴とする請求項５に記載のシステムメッセージの送信方法。
【請求項７】
ＣＵは、更新された一部またはすべてのサービスカテゴリのアクセス制御補助情報をＤＵに送信することを特徴とする請求項６に記載のシステムメッセージの送信方法。
【請求項８】
前記システムメッセージに関する情報は、ＣＵがセル再選択パラメータに関連する情報に基づいて生成した関連システムメッセージブロックであり、
前記システムメッセージブロックは、ＣＵがｃｏｎｔａｉｎｅｒの形態でＤＵノードに送信されることを特徴とする請求項５に記載のシステムメッセージの送信方法。
【請求項９】
ＣＵは、セル内特定のサービスカテゴリに関する更新された過負荷情報をＤＵに送信することを特徴とする請求項８に記載のシステムメッセージの送信方法。
【請求項１０】
ＤＵにおいてＣＵによって送信されたシステムメッセージに関する情報を受信するための、受信モジュールと、
ＤＵにおいて前記情報を端末に通知するための、通知モジュールとを備えることを特徴とするシステムメッセージの通知装置。
【請求項１１】
通知モジュールは、さらに、前記システムメッセージに関する情報が一部またはすべてのサービスカテゴリのアクセス制御補助情報である場合、前記情報を端末に通知すると、前記アクセス制御補助情報に基づいて、システムメッセージに関するシステム情報を生成した後、端末に送信し、
通知モジュールは、さらに、ＣＵによって更新された一部またはすべてのサービスカテゴリのアクセス制御補助情報を受信した後、更新された前記アクセス制御補助情報に基づいて、システムメッセージに関するシステム情報を生成した後、端末に送信することを特徴とする請求項１０に記載のシステムメッセージの通知装置。
【請求項１２】
通知モジュールは、さらに、前記システムメッセージに関する情報が、ＣＵがセル再選択パラメータに関連する情報に基づいて生成した関連システムメッセージブロックである場合、前記情報を端末に通知すると、対応するスケジューリング時間に前記システムメッセージブロックを端末に送信し、
受信モジュールは、さらに、ＣＵがｃｏｎｔａｉｎｅｒの形態でＤＵノードに送信される前記システムメッセージブロックを受信することを特徴とする請求項１０に記載のシステムメッセージの通知装置。
【請求項１３】
システムメッセージに関する情報を決定するための、決定モジュールと、
前記システムメッセージに関する情報をＤＵに送信するための、送信モジュールと、を備えることを特徴とするシステムメッセージの送信装置。
【請求項１４】
決定モジュールは、さらに、決定前記システムメッセージに関する情報は、一部またはすべてのサービスカテゴリのアクセス制御補助情報であり、
送信モジュールは、さらに、更新された一部またはすべてのサービスカテゴリのアクセス制御補助情報をＤＵに送信することを特徴とする請求項１３に記載のシステムメッセージの送信装置。
【請求項１５】
決定モジュールは、さらに、前記システムメッセージに関する情報が、ＣＵがセル再選択パラメータに関連する情報に基づいて生成した関連システムメッセージブロックであると決定し、
送信モジュールは、さらに、コンテナ（ｃｏｎｔａｉｎｅｒ）形式で、前記システムメッセージブロックをＤＵノードに送信することを特徴とする請求項１３に記載のシステムメッセージの送信装置。
【国際調査報告】
2020523905.tif 000016
2020523905.tif 000017
2020523905.tif 000018
2020523905.tif 000019